(57)【要約】【課題】  すすぎ効率の向上と、洗濯物投入口を広く構成することができる洗濯機を提供する。【解決手段】  洗濯槽８の上方に洗濯物投入口６を有する天板３の給水穴２の下部に給水誘導部１０が取り付けられる。この給水誘導部１０は箱形状であって出水面１４ａに出水口１４ｂと突出する整流ピン１４ｇが設けられている出水部材１４を有し、この出水部材１４に下部に階段状に第２のガイド部材１６を有する第１のガイド部材１５が蓋状に取り付けられることにより、この第１のガイド部材１５と出水部材１４の間から整流ピン１４ｇで整流されて流れ落ちる洗濯水は第２のガイド部材１６によって洗濯槽８の周壁８ａに向けてガイドされる。この構成により天板に形成される洗濯物投入口６を広く設けることができる。【選択図】  図２
2006175097.tif 000002
【特許請求の範囲】
【請求項１】
内底部に洗濯翼を有する洗濯兼脱水槽と、この洗濯兼脱水槽を内包した水槽と、前記洗
濯兼脱水槽および前記水槽の上方を覆うと共に洗濯物投入口と給水穴とを有する天板と、
前記天板の前記給水穴の直下に取り付けられ前記洗濯兼脱水槽および前記水槽に洗濯水を
給水する給水誘導部とを有する洗濯機であって、
前記給水誘導部は、
給水口からの水路の途中に給水弁を有する入水部材と、
箱状の出水面に前記水路の出口となる出水口と、
前記出水面から突出する整流ピンが設けられている出水部材と、
前記出水部材に蓋状に取り付けられる第１のガイド部材と、
前記第１のガイド部材の下部に階段状に形成され、前記第１のガイド部材と前記出水部材
の間から前記整流ピンで整流されて流れ落ちる前記洗濯水を前記洗濯兼脱水槽の周壁に向
けてガイドする第２のガイド部材と
によって構成されていることを特徴とする洗濯機。
【請求項２】
前記天板の下面の前記給水穴の周辺に設けられた箱状の空間部内に、前記給水誘導部が
取り付けられていることを特徴とする請求項１に記載の洗濯機。
【請求項３】
前記箱状のリブ内は、前記入水部材の前記出水部材と反対側の外壁と、前記入水部材の
前記外壁と対向する前記第１のガイド部材の外壁と、および前記出水部材の左右の側壁に
当接していることを特徴とする請求項１又は請求項２に記載の洗濯機。
【請求項４】
前記出水部材の左右の側壁と前記第１のガイド部材の左右の側壁との間には隙間が設け
られることを特徴とする請求項１乃至請求項３のいずれか１項に記載の洗濯機。
【請求項５】
前記第１のガイド部材の両側には、左右の側壁の外側に延びて前記出水部材の左右の側
壁に当接する防水リブが設けられることを特徴とする請求項１乃至請求項４のいずれか１
項に記載の洗濯機。
【請求項６】
前記出水部材と前記第１のガイド部材とは、前記出水部材の上側壁と前記整流ピンの間
に前記第１のガイド部材の上側壁が挿入され、前記両端の整流ピンの間に前記第１のガイ
ド部材の左右の側壁が挿入されて取り付けられることを特徴とする請求項１乃至請求項５
のいずれか１項に記載の洗濯機。
【請求項７】
前記第２のガイド部材は、前記出水部材側の内側面の中央部が盛り上がった湾曲面が形
成されていることを特徴とする請求項１乃至請求項６のいずれか１項に記載の洗濯機。
【請求項８】
前記第２のガイド部材の前記階段部の内側に垂下リブが設けられていることを特徴とす
る請求項１乃至請求項７のいずれか１項に記載の洗濯機。
【請求項９】
前記第２のガイド部材は、前記第１のガイド部材の下方に回動可能に支持されることを
特徴とする請求項１乃至請求項８のいずれか１項に記載の洗濯機。
【発明の詳細な説明】
【技術分野】
【０００１】
本発明は、一般家庭において使用される一槽式遠心脱水洗濯機などの洗濯機に関する。
【背景技術】
【０００２】
従来の洗濯機は、洗濯やすすぎ時に洗濯槽上方の天板に設けられた給水口から洗濯水
を誘導する給水誘導部を介して洗濯槽内に洗濯水を注水していた。この給水誘導部を介し
て誘導される洗濯水は、洗濯槽中心部に向けて設けられている注水部から落下する構造と
なっていた。
【０００３】
一方、最近の洗濯機は、「洗い」工程後であって、「すすぎ工程」前に洗濯物を遠心脱
水して洗剤飛ばしを行う、いわゆる「すすぎ前脱水」工程を行うものが主流となっている
。この場合、これまでのように洗濯槽中心部に洗濯水が落下する構造であると、「すすぎ
前脱水」工程の際に洗濯槽周壁に貼りついた洗濯物に直接水が当たらず、すすぎ効果が少
ないという問題があった。さらに、給水する洗濯水の量や、注水部の形状によっては、洗
濯水の落ちる位置にばらつきが生じたり、洗濯水が洗濯槽内に誘導されず水漏れがおきる
という問題があった。
【０００４】
このような現状を鑑みて、図９に示すように給水誘導部１００を流路部１０４と、水位
置決め部１０１とで形成し、その水位置決め部１０１を天板の下面開口の箱形状の空間部
１０２に下方から挿入できる構成とした洗濯機が発明されている。その水位置決め部１０
１は、箱状の注水部内に洗濯槽周壁方向に洗濯水をガイドする傾斜面を有する箱状のガイ
ド部を挿入して構成し、流路部１０４を介して注水部の出水口から流れ出る洗濯水がガイ
ド部の傾斜面に当たって方向が変換され、洗濯槽の周壁近くに落下する構成を有している
。（例えば、特許文献１参照。）。
【０００５】
しかしながら、特許文献１のような洗濯水を誘導する給水誘導部１００では、洗濯水を
洗濯槽の周壁近くに落下させるために、流路部と連通する注水部と、この注水部に挿入さ
れるガイド部からなる水位置決め部１０１を収納する箱状の空間部１０２を洗濯槽の周壁
内側上方の天板に設置しなければならない。そのため、水位置決め部１０１を収納する空
間部１０２の領域によって天板に設けられる洗濯物投入口１０３を狭くしてしまい、使用
者の使い勝手が悪いという問題があった。
【特許文献１】特許第２５０２４８９号公報（第２頁、図２−図４）
【発明の開示】
【発明が解決しようとする課題】
【０００６】
上述したように、特許文献１に示す従来の洗濯機では、水位置決め部を収納する空間部
の領域によって、天板に形成される洗濯物投入口を広くすることができないという問題が
あった。
【０００７】
本発明は上記問題点を解決するためになされたもので、洗濯水を洗濯槽の周壁近くに落
下させてすすぎ効率の向上をはかり、かつ洗濯物投入口を広く構成することができる洗濯
機を提供することを目的とする。
【課題を解決するための手段】
【０００８】
上記目的を達成するために、本発明に係わる洗濯機は、内底部に洗濯翼を有する洗濯兼
脱水槽と、この洗濯兼脱水槽を内包した水槽と、前記洗濯兼脱水槽および前記水槽の上方
を覆うと共に洗濯物投入口と給水穴とを有する天板と、前記天板の前記給水穴の直下に取
り付けられ前記洗濯兼脱水槽および前記水槽に洗濯水を給水する給水誘導部とを有する洗
濯機であって、前記給水誘導部は、給水口からの水路の途中に給水弁を有する入水部材と
、箱状の出水面に前記水路の出口となる出水口と、前記出水面から突出する整流ピンが設
けられている出水部材と、前記出水部材に蓋状に取り付けられる第１のガイド部材と、前
記第１のガイド部材の下部に階段状に形成され、前記第１のガイド部材と前記出水部材の
間から前記整流ピンで整流されて流れ落ちる前記洗濯水を前記洗濯兼脱水槽の周壁に向け
てガイドする第２のガイド部材とによって構成されていることを特徴とする。
【発明の効果】
【０００９】
本発明の洗濯機によれば、洗濯水を洗濯槽の周壁近くに的確に落下させることができ、
すすぎ効率を向上させることができる。また、天板の洗濯物投入口を広く構成することが
できる。
【発明を実施するための最良の形態】
【００１０】
以下、図面を用いて本発明の実施形態を説明する。
【実施例１】
【００１１】
本発明に係る洗濯機の第１の実施形態を、図１乃至図５を参照して説明する。
【００１２】
図１（ａ）は、本発明の第１の実施形態に係る洗濯機の外観を示す図である。また、図
１（ｂ）はその一部断面を示す図である。
【００１３】
この洗濯機は、内部に水槽７が防振状態に懸垂されている外箱１と、この外箱１の最上
部に設けられた給水穴２を有する天板３とで洗濯機本体の外殻が構成される。また、天板
３は、開閉可能な洗濯蓋５と、洗濯機の動作を操作する操作パネル４で構成されており、
その洗濯蓋５を開けることによって洗濯物投入口６が形成される。
【００１４】
前記水槽７内には、洗濯物ｓを入れる洗濯兼脱水槽である洗濯槽８が回転可能に支持さ
れており、また、洗濯槽８の底部には内部に投入された洗濯物ｓを攪拌する洗濯翼である
パルセーター９が回転可能に支持されている。そして、この洗濯槽８およびパルセーター
９を回転駆動するクラッチ機構を有するモーター（図示せず）が水槽７の底部の外側中央
に取り付けられている。また、洗濯槽８の周壁８ａには、遠心脱水用の多数の小孔８ｂが
設けられている。
【００１５】
天板３の上面後部には給水穴２が設けられており、その給水穴２の直下には給水弁１３
ｃ有する給水誘導部１０が位置されている。この給水弁１３ｃ有する給水誘導部１０は、
洗濯槽８内に注水する洗濯水の量を調整する機能を有し、洗濯槽８の周壁８ａの近傍に洗
濯水を落下させる形状を有している。
【００１６】
また、水槽７の底部には排水口（図示せず）が設けられており、この排水口の開閉可能
な排水弁を介して排水ホースに接続され、その排水ホースは洗濯機外に延びている。
【００１７】
このように構成した洗濯機の洗濯工程は、「洗い」工程に始まり、「すすぎ前脱水」工
程、「すすぎ」工程を経て、「脱水」工程に至る。
【００１８】
先ず、「洗い」工程では、洗濯槽８内に洗濯物ｓと洗剤を投入し、排水口の排水弁を閉
じた状態で給水穴２から給水し、水槽７に必要な洗濯水を溜める。そして、クラッチ機能
によりパルセーター９にかみ合っているモーターの正逆回転によりパルセーター９を正逆
回転させ、洗濯槽８内の洗濯物ｓを洗濯する。
【００１９】
次に、「すすぎ前脱水」工程では、給水誘導部１０の給水弁１３ｃ（図２を参照）を閉
じ、排水口の排水弁を開いて水槽７内の洗濯水を排水ホースから排水する。更に、クラッ
チ機構によりモーター接続をパルセーター９から洗濯槽８側に切り替え、洗濯槽８を回転
させて洗濯物ｓを遠心脱水する。その際、洗濯物ｓの余分な洗剤を含む水分を、周壁８ａ
の小孔８ｂより水槽７へ除去する。このとき、洗濯槽８の回転により洗濯物ｓが、洗濯槽
８の内側周壁８ａに張り付いた状態となる。
【００２０】
そして、「すすぎ」工程では、排水口の排水弁を閉じた状態で、給水誘導部１０の給水
弁１３ｃを開いて給水し、水槽７に必要な洗濯水を溜める。その後、排水口の排水弁を開
き、給水と排水ができる状態で、パルセーター９側にクラッチ切り替えが行われたモータ
ーによりパルセーター９を回転させ「すすぎ前脱水」工程で脱水された洗濯物ｓに付着す
る汚れや洗剤をすすぐ。
【００２１】
最後に「脱水」工程では、「すすぎ前脱水」工程と同様に水槽７の排水を終えてから、
洗濯槽８側にクラッチ切り替えが行われたモーターにより洗濯槽８を回転させ、洗濯物ｓ
を遠心脱水する。
【００２２】
次に、上述した給水誘導部１０の詳細な構成を、図２乃至図５を参照して説明する。
【００２３】
図２は、この給水誘導部１０を拡大した分解斜視図であり、給水誘導部１０は、注水部
１１とガイド部１２とで構成される。
【００２４】
まず、注水部１１の詳細構造について説明する。注水部１１は、入水部材１３と、外形
が箱状の出水部材１４とで構成される。そして、入水部材１３は、上部に給水口１３ａを
有し、この給水口１３ａからの洗濯水を流す第１の流路である給水路１３ｂを入水部材１
３内に形成している。また、給水路１３ｂの途中の給水口１３ａの下方には給水弁１３ｃ
が設けられており、給水口１３ａから入水してくる洗濯水の給水流量を前記給水弁１３ｃ
を開閉することにより調整する機能を有する。
【００２５】
更に、入水部材１３の流路方向の前方には箱状の出水部材１４が設けられている。入水
部材１３に連結される出水部材１４の出水面１４ａには、入水部材１３の給水路１３ｂと
連通する出水口１４ｂが形成されている。その出水面１４ａは、出水面１４ａから上方に
傾斜（詳しくは、図４を参照）している上側壁１４ｃと、上側壁１４ｃの左右の壁を形成
する右側壁１４ｄ、左側壁１４ｅと、出水面１４ａから下方傾斜（詳しくは、図４を参照
）している下側壁１４ｆに囲われる構成をしており、洗濯水が流れる空間を形成している
。
【００２６】
更にまた、出水面１４ａの少なくとも出水口１４ｂ周囲には、出水口１４ｂから流れ出
る洗濯水を整流するための針状の多数の整流ピン１４ｇが、上側蓋１４ｃの幅を超えない
範囲で出水面１４ａと垂直に突出して設けられている。この多数の整流ピン１４ｇは、出
水面１４ａ内に千鳥上に整列して配置されている。また、右側壁１４ｄ、左側壁１４ｅの
両外面には突起部１４ｈが設けられている。
【００２７】
次に、ガイド部１２の構造を説明する。図３（ａ）は第１のガイド部材１５と第２のガ
イド部材１６とで構成されるガイド部１２の側面図、図３（ｂ）はその側断面図、図３（
ｃ）はその正面図、図３（ｄ）はその背面図、図３（ｅ）は第２のガイド部材１６の横断
面図を示す。
【００２８】
ガイド部１２は、外形が箱状の第１のガイド部材１５と、その下方に階段状に設けられ
た外形が箱状の第２のガイド部材１６とで構成されている。
【００２９】
第１のガイド部材１５は、図２又は図４に示すように蓋壁１５ａが出水部材１４の出水
口１４ｂを含む出水面１４ａを覆う態様の外形形状を形成している。そして、蓋壁１５ａ
の外側は、出水部材１４の上側壁１４ｃと接する蓋上側壁１５ｂと、出水部材１４の右側
壁１４ｄと対向する蓋右側壁１５ｄと、出水部材１４の左側壁１４ｅと対向する蓋左側壁
１５ｃと、蓋壁１５ａの面が蓋右側壁１５ｄ、蓋左側壁１５ｃよりの外側に延長し、取り
付け時に出水部材１４の右側壁１４ｄと左側壁１４ｅに当接する防水リブ１５ｅとで構成
されている。
【００３０】
また第２のガイド部材１６は、第１のガイド部材１５の下方で蓋壁１５ａの外側に階段
状に設けられている。そして、第２のガイド部材１６は制御壁１６ａと、この制御壁１６
ａを囲うように、蓋壁１５ａと連なって階段部を形成する制御上側壁１６ｂと、制御壁１
６ａの制御右側壁１６ｄと、制御壁１６ａの制御左側壁１６ｃとで構成され、制御壁１６
ａと出水部材１４の下側壁１４ｆによって洗濯水の流路が形成されている。
【００３１】
更に、第２のガイド部材１６の制御壁１６ａは、図３（ｅ）に示すように中央部が盛り
上がった湾曲面が形成されており、また制御壁１６ａの下方先端部はノズル状に下方傾斜
して、洗濯水を洗濯槽の周壁近くに的確に落下させる構造を有している。
【００３２】
図４は、上述した注水部１１とガイド部１２とによって組み立てられた給水誘導部１０
の形状を示す図であり、図４（ａ）は給水誘導部１０の側断面図、図４（ｂ）は給水誘導
部１０縦断面図である。
【００３３】
図２乃至図４に示すように、出水部材１４の出水面１４ａに第１のガイド部材１５の蓋
壁１５ａが対向する態様に、注水部１１にガイド部１２が取り付けられる。その際例えば
、図４のように第１のガイド部材１５の先細り形状の蓋上側壁１５ｂが、出水部材１４の
出水面１４ａから上方に傾斜している上側壁１４ｃと整流ピン１４ｇの最上段行の間で嵌
着される。同時に第１のガイド部１５の蓋左側壁１５ｃ、蓋右側壁１５ｄの両壁は、出水
部材１４の左右の整流ピン１４ｇの第１列目と第２列目との間に嵌着される。
【００３４】
更に、第１のガイド部１５の蓋左側壁１５ｃ、蓋右側壁１５ｄの下端面部は、出水部材
１４の出水面１４ａから下方に傾斜している下側壁１４ｆの内側面に当接している。そし
てまた、第１のガイド部１５の蓋右側壁１５ｄ、蓋左側壁１５ｃの両壁の外側面に形成さ
れる防水リブ１５ｅも、出水部材１４のそれぞれ右側壁１４ｄ、左側壁１４ｅの内側面と
、下側壁１４ｆの内側面に当接して取り付けられている。
【００３５】
このような構成をとることによって、図４（ｂ）に示すように注水部１１の出水部材１
４の出水面１４ａと右側壁１４ｄの内側面と、第１のガイド部材１５の防水リブ１５ｅの
内側面と、蓋右側壁１５ｄの外側面とに囲まれた空間に右側隙間１７ａが形成されること
になる。同様に、注水部１１の出水部材１４の出水面１４ａと左側壁１４ｅの内側面と、
第１のガイド部材１５の防水リブ１５ｅの内側面と、蓋左側壁１５ｃの外側面とに囲まれ
た空間に左側隙間１７ｂが形成される。
【００３６】
そして、図４（ａ）に示すように、上述した給水誘導部１０の構成により、給水誘導部
１０内に洗濯水が流れる各流路が形成される。即ち、注水部１１内に形成された第１の流
路１３ｂと、注水部１１の出水面１４ａと第１のガイド部材１５の蓋壁１５ａに囲まれた
第２の流路１８と、注水部１１の下側壁１４ｆと第２のガイド部材１６で囲まれた第３の
流路１９が形成される。
【００３７】
続いて、天板３に給水誘導部１０が取り付けられる構成について説明する。
【００３８】
図５（ａ）は、給水誘導部１０を天板３に取り付ける分解斜視図である。図５（ｂ）は
、給水誘導部１０を天板３に取り付けた組立断面図である。図５（ｃ）は、給水誘導部１
０を天板３に取り付けた洗濯機の上面図である。
【００３９】
天板３の下面には、図５（ａ）及び図５（ｂ）に示すように給水穴２の周りを囲うよう
にリブが垂下しており、箱状の空間部２０が形成されている。即ち、箱状の空間部２０は
、洗濯物投入口６の壁の一部ともなっている前方リブ２０ａと、天板３の外郭の一部とも
なっている後方リブ２０ｂと、注水部１１の出水部材１４の横幅の間隔を有する左右のリ
ブ２０ｃ、２０ｄとで形成されている。左右のリブ２０ｃ、２０ｄの内側面には、出水部
材１４の突起部１４ｈと係合する凹部２０ｅが形成されている。
【００４０】
上記のように構成されている給水誘導部１０は、入水部材１３の給水口１３ａが天板３
の給水穴２に下方から差し込まれ、注水部１１の注水部背面２１が後方リブ２０ｂに当接
し、第１のガイド部材１５の蓋壁１５ａが前方リブ２０ａの内側面に当接される態様で箱
状の空間部２０に挿着される。
【００４１】
給水誘導部１０を天板３に取り付ける際、給水誘導部１０の注水部１１とガイド部１２
の間に隙間１７ａ、１７ｂが設けられていることにより、注水部１１の出水部材１４の左
右側壁１４ｄ、１４ｅを外側から内側へ力を加えて内側にたわませることが可能となる。
【００４２】
そのため、給水誘導部１０は箱状の空間部２０に簡単に挿入でき、注水部１１の突起部１
４ｈと箱状の空間部２０の凹部２０ｅが係合され固定されることになる。
【００４３】
また、第２のガイド部材１６は第１のガイド部材１５が当接される前方リブ２０ａの下
方に位置され、図５（ｃ）に示すように洗濯機上面から見て洗濯物投入口６内側に突出す
る態様となる。
【００４４】
ここで、図２及び図４を用いて、第１の実施形態の給水誘導部１０の動作を洗濯機の「
すすぎ前脱水」工程および「すすぎ」工程の動作に併せて説明する。
【００４５】
洗濯機の「すすぎ前脱水」工程では、給水路１３ｂに設けられた給水弁１３ｃを閉じ、
排水路の排水弁を開いて、「洗い」工程を終えた水槽７内の洗濯水を排水ホースから排水
し、モーターにより洗濯槽８を回転させて遠心脱水する。その際、洗濯物ｓの余分な洗剤
を含む水分を除去することとなり、洗濯物ｓが洗濯槽８の回転により周壁８ａ内側に張り
付いた状態となる。
【００４６】
そして「すすぎ」工程では、給水ホースから注水部１１の給水口１３ａへ給水された洗
濯水は、給水弁１３ｃが開くことにより矢印Ａ（図４を参照）の方向に洗濯水が流れる。
【００４７】
給水弁１３ｃを通過した洗濯水は、入水部材１３内に形成された第１の流路である給水路
１３ｂを矢印Ｂの方向に流れる。その洗濯水は、出水部材１４の出水面１４ａに形成され
る出水口１４ｂから勢いよく流れ出る。そして、第１のガイド部材１５の蓋壁１５ａの内
側面にぶつかり拡散する。
【００４８】
この拡散した洗濯水は、第１のガイド部材１５と出水部材１４で形成された給水路１３
ｂより流路面積が広い第２の流路１８を矢印ｃの方向に整流ピン１４ｇによって整流され
ながら流れ落ちる。そして洗濯水は、徐々に第２の流路１８の全域に広がった矢印Ｄの流
れとなる。続いて洗濯水は、下方に傾斜している出水部材１４も下側壁１４ｆにぶつかり
方向を変え、下側壁１４ｆに沿った矢印Ｅの方向の流れとなる。この矢印Ｅの洗濯水の流
れは、第３の流路１９へ流れ込み、第２のガイド部材１６の制御壁１６ａの内側に当たり
再び方向を変え、制御壁１６ａに沿って第３の流路１９を矢印Ｆの方向の流れとして下方
に流れていく。
【００４９】
そして第３の流路１９から流れ落ちた洗濯水は、第２のガイド部材１６が導く方向に落
下し、図１（ｂ）に示すように洗濯槽８内の周壁８ａ付近に落下させることができ、周壁
８ａに貼りついている洗濯物ｓに直接注がれることになる。
【００５０】
この動作により水槽７に注水された洗濯水は、洗濯槽８内に所定の水位まで溜められ、
モーターによりパルセーター９を回転させ「すすぎ」工程を開始する。
【００５１】
このように本発明の第１の実施形態の形状を有する給水誘導部１０を設けることにより
、洗濯水を洗濯槽８の周壁８ａ付近に落とすことができる。よって、「すすぎ前脱水」工
程後に洗濯槽８の周壁８ａに貼りついている洗濯物ｓに多くの水をかけることができ、「
すすぎ」工程において、すすぎ性能を向上させることができる。
【００５２】
更に、給水穴２の直下に設けられる給水誘導部１０を、第１のガイド部材１５に第２の
ガイド部材１６を階段状に取り付ける構造とすることによって、天板の空間部２０を洗濯
槽８の周壁８ａの外側に位置させることができ、そこに給水誘導部１０を挿入することに
より洗濯機の洗濯物投入口６を広く構成することが可能となる。
【００５３】
また、給水穴２が天板３のどの位置に形成されていても第２のガイド部材１６の角度、
長さを変えて第３の流路１９を形成させれば、洗濯水を洗濯槽周壁８ａ付近に落下させる
ように対応できるため、洗濯機の設計が容易になる。
【００５４】
また、第２のガイド部材１６の制御壁１６ａが、内側面の中央部が盛り上がった湾曲面
を形成しているため、この湾曲面に当った洗濯水は、外側に拡散しながら落下し、洗濯槽
８内の周壁８ａに貼りついている洗濯物ｓに幅広く注水することができる。
【００５５】
更に、洗濯水が配水される制御壁１６ａの先端は、ノズル形状で第１のガイド部材１５
側に下方傾斜しているため、洗濯水が第２のガイド部材１６の先端で乱れて跳ね散ること
がない。また、給水後は制御壁１６ａの先端中央部に水滴として集まり落下するため、第
２のガイド部材１５の先端への水残りを防ぐことができ、衛生上好ましい。
【００５６】
また、給水誘導部１０の出水部材１４に第１のガイド部材１５を取り付ける際には、出
水部材１４の左右の側壁１４ｄ、１４ｅと第１のガイド部材１５の左右の側壁１５ｃ、１
５ｄとの間に隙間１７ａ、１７ｂが形成されることから、天板３に給水誘導部１０を取り
付ける際に、注水部１１の左右側壁１４ｄ、１４ｅを外側から内側にたわませることが可
能となる。そのため、給水誘導部１０は天板３の箱状の空間部２０に簡単に挿入すること
が可能となり作業性が極めて良い。
【００５７】
更には、注水部背面２１が天板３の後方リブ２０ｂに当接し、第１のガイド部材１５の
蓋壁１５ａが前方リブ２０ａの内側面に当接される態様で、給水誘導部１０が天板３の箱
状の空間部２０に挿着され、加えて防水リブ１５ｅが注水部１１に当接されているため、
ガイド部１２と注水部１１とが密着して組み合わさり、流入する洗濯水の水圧が強くても
水漏れすることが無く、確実に洗濯槽８内へ注水することができる。
【００５８】
したがって、本発明の第１の実施形態に係る洗濯機によれば、注水部１１とガイド部１
２からなる給水誘導部１０を用いることによって、洗濯槽８へ流れ出る洗濯水の水流の見
栄えを良くし、かつ給水量の大小に係わらず水流の落ちる位置がほぼ一定となり、安定し
たすすぎ性能の確保することができる。
【００５９】
なお、本発明は上記した第１の実施形態に限定されるものではなく、例えば、防水リブ
１５ｅを例えばゴムのような弾性材によって覆ってもよい。これによりさらに防水性が高
まる。
【００６０】
また上記した第１の実施形態では、箱状の空間部２０内に給水誘導部１０が当接される
構成としたが、本発明ではガイド部１２と注水部１１とが密着して組み合わされる構成で
あればよく、例えば給水誘導部１０の空間部２０への挿入時に出水部材１４の出水面１４
ａの反対側の面（出水部材１４と入水部材１３との連結面）で入水部材１３の連結部以外
の部分に当接する位置にリブを天板から垂下させて設け、第１のガイド部材１５の蓋壁１
５ａと、出水部材１４の出水面１４ａの反対側の面がリブに当接するような態様にしても
良い。
【００６１】
また図６に示すように、第１のガイド部材１５は、左右の蓋側壁１５ｃ、１５ｄの内側
に平行して平行リブ２２を設け、その平行リブ２２と左右の蓋側壁１５ｃ、１５ｄの間に
整流ピン１４ｇを嵌着させることで、注水部１１の出水部材１４に組み込んでも良い。
【００６２】
また図７に示すように、第２のガイド部材１６の制御上側壁１６ｂの内側に垂直に垂下
リブ２３を設けてもよい。これによっても、第３の流路１９へ流れ出る洗濯水の勢いを消
すことができ、洗濯槽８により垂直に洗濯水を落とすことができる。
【００６３】
また図８に示すように、第２のガイド部材１６は第１のガイド部材１５の下方に回動部
２４として示すように回動可能に支持される構造であっても良い。
【００６４】
これにより、洗濯水の洗濯槽８内への落ち位置を自由に調整することができる。また、
この構成によれば給水穴２の位置が異なる洗濯機においても、給水誘導部１０の第２のガ
イド部材１６の角度を調整することで洗濯水の落ち位置を設定することができ、共通部品
として利用することが可能である。
【図面の簡単な説明】
【００６５】
【図１】本発明に係る洗濯機の第１の実施形態の外観図、およびその一部断面図。
【図２】第１の実施形態の給水誘導部の拡大分解斜視図。
【図３】第１の実施形態の注水部の拡大図。
【図４】第１の実施形態の給水誘導部の拡大断面図。
【図５】第１の実施形態の給水誘導部と天板の拡大組み立て図。
【図６】第１の実施形態の他の給水誘導部の拡大断面図。
【図７】第１の実施形態の他の第２のガイド部材の拡大断面図。
【図８】第１の実施形態の他のガイド部の拡大図。
【図９】従来の洗濯機の断面図。
【符号の説明】
【００６６】
１  外箱、２  給水穴、３  天板、４  操作パネル、５  洗濯蓋、６  洗濯物投入口、７
水槽、８  洗濯槽、８ａ  周壁、８ｂ  小孔、９  パルセーター、１０  給水誘導部、
１１  注水部、１２  ガイド部、１３  入水部材、１３ａ  給水口、１３ｂ  給水路（第
１の流路）、１３ｃ  給水弁、１４  出水部材、１４ａ  出水面、１４ｂ  出水口、１４
ｃ  上側壁、１４ｄ  右側壁、１４ｅ  左側壁、１４ｆ  下側壁、１４ｇ  整流ピン、１
４ｈ  突起部、１５  第１のガイド部材、１５ａ  蓋壁、１５ｂ  蓋上側壁、１５ｃ  蓋
左側壁、１５ｄ  蓋右側壁、１５ｅ  防水リブ、１６  第２のガイド部材、１６ａ  制御
壁、１６ｂ  制御上側壁、１６ｃ  制御左側壁、１６ｄ  制御右側壁、１７ａ  右側隙間
、１７ｂ  左側隙間、１８  第２の流路、１９  第３の流路、２０  箱状の空間部、２０
ａ  前方リブ、２０ｂ  後方リブ、２０ｃ  右リブ、２０ｄ  左リブ、２０ｅ  凹部、２
１  注水部背面、２２  平行リブ、２３  垂下リブ、２４  回動部、１００  給水誘導部
、１０１  水位置決め部、１０２  空間部、１０３  洗濯物投入口、１０４  流路部、
【図１】
2006175097.tif 000003
【図２】
2006175097.tif 000004
【図３】
2006175097.tif 000005
【図４】
2006175097.tif 000006
【図５】
2006175097.tif 000007
【図６】
2006175097.tif 000008
【図７】
2006175097.tif 000009
【図８】
2006175097.tif 000010
【図９】
2006175097.tif 000011